(57)【要約】【課題】レンズ鏡筒を有するカメラを収納する防水ハウジングにおいて、上記レンズ鏡筒の回転操作を確実に行うことができ、構造も簡単である防水ハウジングを提供する。【解決手段】一眼レフカメラ５０を収納可能な防水ハウジング１は、カメラ５０のレンズ鏡筒５１を収納するレンズ鏡筒収納筒部２ａと、収納筒部２ａの外周に支持され、レンズ鏡筒５１のズームリング５２を回転させるための回転可能な筒状の操作環１１と、収納筒部２ａの開口部２ｉに挿入され、ズームリング５２の外周と操作環１１の内周に当接して操作環１１の回転をズームリング５２に伝達するゴムローラ１６と、鏡筒収納筒部２ａの外部と操作環１１の内周との間に設けられた防水用の複数のＯリング２０，２１，２２，防水シール２３とを有しており、操作環１１を回動操作することによってズームリング５２を回動させることができる。【選択図】図２
2006201308.tif 000002
【特許請求の範囲】
【請求項１】
レンズ鏡筒を有するカメラを収納する防水ハウジングにおいて、
上記レンズ鏡筒の部分を収納するレンズ鏡筒収納筒部と、
上記レンズ鏡筒収納筒部の外周に支持され、収納された上記レンズ鏡筒の回転環を回転させるため、該回転環の回転軸と平行な回転軸を有する回転可能な筒状の操作環と、
上記レンズ鏡筒収納筒部の外周壁に設けられた穴に、上記操作環の回転軸及び上記回転環の回転軸と平行に回転可能に設けられ、上記回転環の外周と上記操作環の内周に当接して上記操作環の回転を上記回転環に伝達する回転伝達部材と、
上記レンズ鏡筒収納筒部の内部と外部との間の防水を行なうため、上記レンズ鏡筒収納筒部の外部と上記操作環の内周との間に設けられた防水手段と、
を有することを特徴とする防水ハウジング。
【請求項２】
上記回転伝達部材は、円筒状のゴム部材からなることを特徴とする請求項１に記載の防水ハウジング。
【請求項３】
上記回転伝達部材は、ゴム部材からなる一つの円筒状の部材と二つのプーリーとからなり、上記一つの円筒状の部材の内周を上記二つのプーリーで支え、上記二つのプーリー周囲を上記一つの円筒状の部材が回動し、上記一つの円筒状の部材の外周により上記回転環を回転させるようにしたことを特徴とする請求項１に記載の防水ハウジング。
【発明の詳細な説明】
【技術分野】
【０００１】
本発明は、レンズ鏡筒を有するカメラを収納する防水ハウジングに関する。
【背景技術】
【０００２】
従来、防水カメラの操作、例えば、レンズ焦点調整操作を外部から行うことができる焦点調整装置に関して、特許文献１に開示されたものは、レンズ鏡筒の焦点調整のための回転操作を防水ケースの外側から行うことができるものである。詳しくは、レンズ鏡筒の外周部に鏡筒側磁石を固着しておき、一方、防水ケースの外周部に上記鏡筒側磁石に対応した位置に回転操作可能なケース側磁石が配されている。焦点調整時に上記ケース側磁石を回転操作すると、鏡筒側磁石がその吸引力を受け、ともに回転移動し、レンズ鏡筒の焦点調整が行われる。
【特許文献１】特許文献１は、実用新案登録第３０９４８０７号公報である。
【発明の開示】
【発明が解決しようとする課題】
【０００３】
上述した特許文献１に開示された焦点調整装置においては、防水ケースを開放することなくレンズ鏡筒を操作して焦点調整を行うことができる。しかし、レンズ鏡筒によって必要とする回転操作力が大きい場合、上記磁石では、伝達力が不足することが考えられる。また、追随性についても必ずしも十分とはいえない。
【０００４】
本発明は、上述の問題を解決するためになされたものであり、レンズ鏡筒を有するカメラを収納する防水ハウジングにおいて、上記レンズ鏡筒の回転操作を確実に行うことができる構造も簡単な防水ハウジングを提供することを目的とする。
【課題を解決するための手段】
【０００５】
本発明の請求項１記載の防水ハウジングは、レンズ鏡筒を有するカメラを収納する防水ハウジングにおいて、上記レンズ鏡筒の部分を収納するレンズ鏡筒収納筒部と、上記レンズ鏡筒収納筒部の外周に支持され、収納された上記レンズ鏡筒の回転環を回転させるため、該回転環の回転軸と平行な回転軸を有する回転可能な筒状の操作環と、上記レンズ鏡筒収納筒部の外周壁に設けられた穴に、上記操作環の回転軸及び上記回転環の回転軸と平行に回転可能に設けられ、上記回転環の外周と上記操作環の内周に当接して上記操作環の回転を上記回転環に伝達する回転伝達部材と、上記レンズ鏡筒収納筒部の内部と外部との間の防水を行なうため、上記レンズ鏡筒収納筒部の外部と上記操作環の内周との間に設けられた防水手段とを有する。
【０００６】
本発明の請求項２記載の防水ハウジングは、請求項１に記載の防水ハウジングにおいて、上記回転伝達部材は、円筒状のゴム部材からなる。
【０００７】
本発明の請求項３記載の防水ハウジングは、請求項１に記載の防水ハウジングにおいて、上記回転伝達部材は、ゴム部材からなる一つの円筒状の部材と二つのプーリとからなり、上記一つの円筒状の部材の内周を上記二つのプーリで支え、上記二つのプーリ周囲を上記一つの円筒状の部材が回動し、上記一つの円筒状の部材の外周により上記回転環を回転させる。
【発明の効果】
【０００８】
本発明によれば、レンズ鏡筒を有するカメラを収納する防水ハウジングにおいて、上記レンズ鏡筒の回転操作を確実に行うことができ、構造も簡単である防水ハウジングを提供することができる。
【発明を実施するための最良の形態】
【０００９】
以下、図を用いて本発明の実施形態について説明する。  
図１は、本発明の第一の実施形態の防水ハウジングにカメラを収納した状態の外観を示す斜視図である。図２は、図１のＡ−Ａ断面図であって、上記防水ハウジングにカメラを収納した状態の断面を示す。図３は、上記防水ハウジングの鏡筒収納筒部（回転伝達機構部を含む）の分解斜視図である。図４は、図１のＢ−Ｂ断面図であって、上記鏡筒収納円筒部の光軸に沿った断面を示す。図５は、図４のＣ−Ｃ断面図であって、上記レンズ鏡筒収納筒部の光軸直交断面を示す。図６（Ａ），（Ｂ）は、上記鏡筒収納筒部に組み込まれる回転伝達機構部のゴムローラの形状を示す図であって、図６（Ａ）は、該ゴムローラの斜視図であり、図６（Ｂ）は、該ゴムローラの断面図である。
【００１０】
なお、以下の説明において、収納されるカメラの撮影レンズ光軸を光軸Ｏとし、被写体側を前方、結像側を後方とし、各部材の回転方向、および、左右方向は、前方側から見た方向で示す。
【００１１】
本発明の第一の実施形態である防水ハウジング１は、図２に示すようにカメラ５０を防水状態で収納し、水中等での撮影，再生を可能とするものであって、図１に示すようにカメラ５０を操作するための各種操作部が外部に露呈した状態で配置されている。
【００１２】
まず、カメラ５０について説明すると、図２に示すように一眼レフカメラであって、カメラ外本体５０ａの前面部に交換式レンズ鏡筒５１が装着されている。カメラ本体５０ａの上面部にレリーズ釦，モード選択ダイヤル，ストロボ発光部，ＬＣＤ表示部（図示せず）、および、シンクロコード５６等が配置されている。また、背面部には、ファインダ窓５７，ＬＣＤ表示部（モニタ）５８等が配置される。左方側にはグリップ部（図示せず）が設けられる。
【００１３】
レンズ鏡筒５１は、円筒外周部に光軸Ｏまわりに回転操作可能な回転環であるズームリング５２およびフォーカスリング５３が配され、撮影レンズ５５を有する進退可能なレンズ鏡枠部５４を有している。このレンズ鏡筒５１においては、ズームリング５２を回転操作することによって該レンズ鏡筒のズーミングが行われる。また、フォーカスリング５３を回転操作すると、マニュアルフォーカシングが行われる。但し、防水ハウジング１に収納されている状態においては、フォーカスリング５３は操作せず、オートフォーカス制御によるフォーカシングが行われる。そして、ズームリング５２は後述する防水ハウジング１に設けられる操作環１１を回転操作することによって回転駆動され、レンズ鏡筒５１のズーミングが行われる。
【００１４】
防水ハウジング１は、図１，２に示すように左端部に配されるヒンジ部（図示せず）によって開閉回転自在に支持される透明樹脂材からなる前ケース２と後ケース３を有している。前，後ケース２，３は、カメラ５０の収納状態で閉じられ、右端部に配されるバックル３５によって係止され、閉状態に保持される。該閉状態では、前ケース２と後ケース３は、その接合面が後ケース溝３ｃの挿入される環状パッキン９によって密閉され、水密状態に保持される。
【００１５】
前ケース２は、前方に突出する鏡筒収納筒部（詳しくは、レンズ鏡筒収納筒部）２ａを有しており、上面部にレリーズ釦操作用レバー３１と、外部ストロボ接続端子用キャップ３４とが配され、データ表示ＬＣＤ用拡大レンズ部２ｄが設けられている。内部には、収納カメラのカメラ本体５０ａ上面、および、前面を保持するための当接ゴム２６，２５が嵌め込まれるリブ２ｆ，凹部２ｇが配され、底部内面に三脚ネジ５９が嵌入される三脚ネジ支持部２ｅが設けられている。前ケース２の左右にはグリップ部材２ｃ，２ｂが配されている。
【００１６】
後ケース３には、上面部にモード設定回転操作釦３２，押圧操作釦３３が配され、背面部に画像ＬＣＤ用拡大レンズ部３ａが設けられる。さらに、背面部内部にファインダ窓上部に当接する当接ゴム２７が嵌め込まれる凸部３ｂ、および、画像ＬＣＤ表示部の周囲を囲むフード２８を固定する突起３ｄが設けられる。
【００１７】
カメラ５０を防水ハウジング１に収納する場合、カメラ５０を前ケース２の内部に挿入し、三脚ネジ支持部２ｅの挿入した三脚ネジ５９をカメラ本体５０ａの三脚ネジ部に螺着し、前述したように前ケース２と後ケース３を閉じて収納状態とする。この収納状態では、カメラ５０は、当接ゴム２５，２６，２７で押圧された状態で三脚ネジ５９によってカメラ５０のカメラ本体５０ａが位置決めされて固定され、レンズ鏡筒５１も鏡筒収納筒部２ａ内部に正しく位置決めされる。すなわち、鏡筒収納筒部２ａの軸心が光軸Ｏに一致した状態で位置決めされる。
【００１８】
前ケース２の鏡筒収納筒部２ａの先端部には内周部にゴムリングが装着された透明樹脂からなるレンズフード４がＯリング８ａを挟んで螺着されている。さらに、レンズフード４の前端部には、前面ガラス６が配され、該前面ガラス６は、押さえリング５によってＯリング８ｂを挟んで固定される。レンズフード４と鏡筒収納筒部２ａとの接合部は、Ｏリング８ａ，８ｂにより密閉される。
【００１９】
鏡筒収納筒部２ａにはレンズ鏡筒５１のズームリング５２を回転操作するための回転伝達機構部１０が配され、その内周部にズームリング５２が位置する。そして、図３，４に示すように鏡筒収納筒部２ａには鏡筒マウント側から防水用Ｏリング溝２ｍと、段差（小径側）を以て形成される外周壁である外周部２ｈａと、さらに段差（小径側）を以て形成される外周部２ｈｂと、Ｃリング溝２ｎとが設けられている。外周部２ｈａには、周方向６分割位置に内外を貫通する穴である６つの開口部２ｉが設けられており、該各開口部の光軸Ｏ方向両端内周側に対向し、光軸Ｏ方向と平行な軸支穴２ｊが設けられている。
【００２０】
一方、回転伝達機構部１０は、鏡筒収納筒部２ａの外周部２ｈａに挿入され、光軸Ｏまわりに回動操作可能な筒状の操作環１１と、６組で構成される部材であって光軸Ｏと平行（したがって、ズームリング５２と操作環１１の回転軸と平行）である支持軸１４と、支持軸１４に回転自在に嵌入するスリーブ１５と、スリーブ１５の外周に固着して嵌入される回転伝達部材であるゴムローラ１６と、スリーブ１５の両端に当接されるワッシャ１７，１８と止め輪１９とを有し、さらに、操作環１１のスラスト位置を規制するスラストリング１２と、Ｃリング１３と、防水手段であるＯリング２０，２１，２２および防水シール２３とを有してなる。
【００２１】
ゴムローラ１６は、図６（Ａ），（Ｂ）に示すように軸穴１６ａを有し、外周上に所定ピッチの軸穴方向に沿った山形断面の突条部を有する円柱状外形をもつ。
【００２２】
軸穴１６ａにスリーブ１５を嵌入した状態のゴムローラ１６は、６組のものが両端にワッシャ１７，１８を装着した状態で各開口部２ｉに挿入され、光軸Ｏと平行な方向の軸支穴２ｊを挿通する支持軸１４によってそれぞれ回転自在に支持される。支持軸１４の先端は止め輪１９で係止され、支持軸１４の抜け止めがなされる。上記支持状態でゴムローラ１６の外径面は、鏡筒収納筒部２ａの外周部２ｈａより外方に所定量突出した状態で支持されている。
【００２３】
鏡筒収納筒部２ａのＯリング溝２ｍにＯリング２０、外周部２ｈａにＯリング２１、外周部２ｈｂにＯリング２２がそれぞれ挿入され、該Ｏリングを挟み込んだ状態で外周部２ｈａに操作環１１が挿入され、さらに、操作環１１の前端部内周に防水シール２３が装着され、開口部２ｉが外部に対して水密状態に保持される。
【００２４】
また、操作環１１の前端面には外周部２ｈｂに嵌入するスラストリング１２が防水シール２３を押さ込んだ状態で当接し、さらに、スラストリング１２は、Ｃリング１３によっての光軸Ｏ方向前方への移動が規制される。従って、操作環１１は、スラストリング１２と鏡筒収納筒部２ａの外周部２ｈａの段部によって光軸Ｏ方向前後の移動が規制される。
【００２５】
上記組み付け状態では、図５に示すように操作環１１の内周面１１ａに対してゴムローラ１６の外周（山形部）が弾性変形して摩擦接触状態で当接する。一方、鏡筒収納筒部２ａ内側では、同様にゴムローラ１６の外周（山形部）が弾性変形して収納レンズ鏡筒５１のズームリング５２の外周に摩擦接触状態で当接する。なお、ズームリング５２の外周には、ゴムリングが装着されているのでゴムローラ１６は、該ゴムリングを介して当接し、効率よく摩擦回転力が伝達される。
【００２６】
上述した構成を有する防水ハウジング１にカメラ５０を収納した場合のレンズ鏡筒５１のズーミング操作状態を説明する。  
上記カメラ収納状態にて操作環１１を図５のＴ1 方向のいずれかに回転操作した場合、操作環１１の内周面１１ａを介してその回転力がゴムローラ１６に摩擦伝達され、Ｔ2 方向に回転駆動される。そのゴムローラ１６の回転力は、ゴムローラ１６が当接するズームリング５２に摩擦伝達され、Ｔ1 方向とは逆方向のＴ3 方向に回転駆動される。操作環１１の回転がズームリング５２に伝達されると、レンズ鏡筒５１の撮影レンズ５５がそれぞれのズーム位置に進退移動し、ズーミングが行われる。
【００２７】
本実施形態の防水ハウジング１によれば、該ハウジングの外側から操作環１１を回転操作することにより回転伝達機構部１０を介して収納カメラのレンズ鏡筒５１のズームリング５２を空回りすることなく回転させることができ、確実にズーミングを行うことができ、回転伝達機構部１０の構成も簡単である。
【００２８】
また、操作環１１，ゴムローラ１６が回転可能な状態に配される鏡筒収納筒部２ａの開口部２ｉの内外は、操作環１１の内周部と鏡筒収納筒部２ａの外周部２ｈａ，２ｈｂとの間に配されるＯリング２０，２１，２２、および、防水シール２３によって確実な水密状態に保たれる。
【００２９】
なお、上述した実施形態の防水ハウジング１においては、回転伝達機構部１０として６組の支持軸１４，スリーブ１５，ゴムローラ１６を使用したが、これに限らず、３組の支持軸１４，スリーブ１５，ゴムローラ１６を鏡筒収納筒部２ａの外周部２ｈａの３分割位置に配する構成であってもよい。
【００３０】
次に、上記の第一の実施形態の防水ハウジング１に適用したゴムローラ１６の変形例について、図７（Ａ），（Ｂ）および図８（Ａ），（Ｂ）を用いて説明する。  
図７（Ａ），（Ｂ）は、ゴムローラ１６の１つの変形例のゴムローラの形状を示し、図７（Ａ）は斜視図であり、図７（Ｂ）は断面図である。図８（Ａ），（Ｂ）は、ゴムローラ１６の他の１つの変形例のゴムローラの形状を示し、図８（Ａ）は斜視図であり、図８（Ｂ）は断面図である。
【００３１】
１つの変形例のゴムローラ１６Ａは、ゴムローラ１６の場合と同様にそれぞれ軸穴１６Ａａを有し、その外形は、外周上に所定ピッチの山形断面の軸方向に沿った突条部を有する球形状外形をもつ。他の１つの変形例のゴムローラ１６Ｂもゴムローラ１６の場合と同様にそれぞれ軸穴１６Ｂａを有し、その外形は、外周上に所定ピッチの軸方向に沿った山形断面の軸方向に沿った突条部を有する円錐台外形をもつ。そして、小径側１６Ｂｂがカメラ本体５０ａ側に向けて取り付けられる。
【００３２】
上述の変形例のゴムローラ１６Ａ，１６Ｂは、それぞれゴムローラ１６の場合と同様に鏡筒収納筒部２ａの開口部２ｉに支持軸を介して回転自在に支持される。また、操作環１１およびズームリング５２との摩擦当接状態もゴムローラ１６の場合と同様である。
【００３３】
これらの変形例のゴムローラ１６Ａ，１６Ｂを適用した防水ハウジングにおいても前述した防水ハウジング１の場合と同様の効果を奏し、特に本変形例の場合、ゴムローラの山形断面が弾性変形しやすいことから比較的硬度の硬いゴムを適用することが可能であり、耐久性の向上が期待できる。
【００３４】
なお、上述した第一の実施形態のゴムローラ１６の両端面の外周部には比較的に大きな曲面１６ｂが形成され、また、その変形例であるゴムローラ１６Ａは外形が球面１６Ａｂであることから、防水ハウジング１の鏡筒収納筒部２ａにレンズ鏡筒５１を収納する際、該鏡筒５１の挿入は、ゴムローラ１６，１６Ａとズームリング（ゴム環）５２との引っかかりが防止でき、容易になる。一方、別の変形例のゴムリング１６Ｂを適用した場合、そのゴムリング１６Ｂは円錐台外形を有しているので、レンズ鏡筒５１の挿入がより容易となる。
【００３５】
また、上述したゴムローラ１６，１６Ａ，１６Ｂの材料として天然ゴム，合成ゴムの他に摩擦係数が高い合成樹脂を適用することも可能である。
【００３６】
次に、本発明の第二の実施形態の防水ハウジングに適用した回転伝達機構部１０の変形例について図９を用いて説明する。  
図９は、上記変形例の回転伝達機構部を適用した鏡筒収納筒部の光軸直交断面図である。
【００３７】
この変形例の回転伝達機構部１０Ａを適用した鏡筒収納筒部２Ａａにおいては、レンズ鏡筒５１のズームリング５２の光軸Ｏ1 が鏡筒収納筒部２Ａａの中心Ｏ2 に対して所定の偏心量ｅだけ偏心した状態でカメラが防水ハウジングに取り付けられる。さらに、回転伝達機構部１０Ａは、一組の支持軸１４，スリーブ１５，ゴムローラ１６を鏡筒収納筒部２Ａａの外周壁である外周部２Ａｈａの開口部２ｉ一箇所に配するような構成とする。該外周部２Ａｈａの内径Ｄ2 は、ズームリング５２の外径Ｄ1 よりも１つのゴムローラ１６の配置隙間分だけの大きい寸法となる。他の構成は、第一の実施形態の構成と同様とする。
【００３８】
回転伝達機構部１０Ａを適用した防水ハウジングにおける操作環１１からズームリング５２への回転力の伝達は、第一の実施形態の場合と同様であるが、この防水ハウジングでは、レンズ鏡筒５１が片持ち状態で防水ハウジングに支持されて回転駆動される。
【００３９】
本変形例の回転伝達機構部１０Ａを適用した防水ハウジングによれば、一組の支持軸１４，スリーブ１５，ゴムローラ１６を使用するだけでよいので構成が簡単になると同時に防水ハウジングの鏡筒収納筒部２Ａａの径が小さくなり、小型化が可能である。また、前述したゴムローラ１６Ｂを適用することによって、カメラの収納、すなわち、レンズ鏡筒５１の鏡筒収納筒部２Ａａへの挿入がより容易になる。
【００４０】
次に、本発明の第二の実施形態の防水ハウジングについて、図１０〜１２を用いて説明する。  
図１０は、本実施形態の防水ハウジングの鏡筒収納筒部（回転伝達機構部を含む）の分解斜視図である（但し、操作環は図示せず）。図１１は、図１０のＥ−Ｅ断面図であって、上記鏡筒収納筒部の光軸に沿った断面を示す。図１２は、図１１のＦ−Ｆ断面図であって、上記レンズ鏡筒収納筒部の光軸直交断面を示す。
【００４１】
本実施形態の防水ハウジングは、第一の実施形態の防水ハウジング１と同様に一眼レフカメラを防水状態で収納し、水中等での撮影，再生を可能とするものであり、防水ハウジング１に対して操作環１１によってズームリング５２を回転駆動するための回転伝達機構部４０の構成が異なり、その他の構成は同様である。その同様な構成部材については同一の符号を付して、以下、異なる部分についてのみ説明する。
【００４２】
図１０に示すように本実施形態の防水ハウジングの鏡筒収納筒部２Ｂａには、ズームリング５２を回転操作するための回転伝達機構部４０が配されており、その内周部にレンズ鏡筒５１のズームリング５２が位置している。そして、図１０，１１に示すように鏡筒収納筒部２Ｂａには鏡筒マウント側から防水用Ｏリング溝２ｍと、段差（小径側）を以て形成される外周壁である外周部２Ｂｈａと、さらに段差（小径側）を以て形成される外周部２ｈｂと、Ｃリング溝２ｎとが設けられている。外周部２Ｂｈａには、周方向３分割位置に内外を貫通する穴である３つの開口部２ｐが設けられており、該各開口部の光軸Ｏ方向の両端内周側に対向する２対の軸支穴２ｑが設けられている。
【００４３】
一方、回転伝達機構部４０は、図１０，１１に示すように３組で構成される部材であって光軸Ｏと平行（したがって、ズームリング５２と操作環１１の回転軸と平行）である一対の支持軸４４と回転伝達部材として該支持軸４４に回転自在に嵌入する一対のプーリー４５およびゴムベルト４６と止め輪４９と、さらに、第一実施形態における回転伝達機構部１０と同様に筒状の操作環１１と、操作環１１のスラスト位置を規制するスラストリング１２と、Ｃリング１３と、防水手段であるＯリング２０，２１，２２および防水シール２３とを有してなる。
【００４４】
プーリー４５は、外周に沿った複数の溝部４５ａと、両端のフランジ部および貫通軸穴とを有している。
【００４５】
ゴムベルト４６は、変形可能な円筒状（ベルト形状）のゴム製（合成ゴムを含む）の部材であって、プーリー４５の両端フランジ部内に嵌入するだけの幅を有し、内周に沿ってプーリー４５の溝部４５ａに嵌入する複数の突条部４６ａを有している。
【００４６】
一対のプーリー４５が内周部に挿通した状態のゴムベルト４６は、図１１，１２に示すように鏡筒収納筒部２Ｂａの３つの開口部２ｐに挿入され、軸支穴２ｑを挿通する支持軸４４をプーリー４５に回転自在に嵌入させることによってゴムベルト４６がテンションを受け、回動可能な状態で支持される。
【００４７】
鏡筒収納筒部２Ｂａの外周部２Ｂｈａには、操作環１１が回転可能な状態で嵌入される。その嵌入状態では操作環１１の内周面１１ａにゴムベルト４６の表面がプーリー４５の外径によって押圧され、摩擦接触状態で当接する。また、ズームリング５２の外周部にはゴムベルト４６のプーリー間延出部が上記テンションにより摩擦接触状態で当接する。
【００４８】
なお、回転伝達機構部１０の場合と同様に鏡筒収納筒部２ＢａのＯリング溝２ｍにＯリング２０、外周部２ＢｈａにＯリング２１、外周部２ＢｈｂにＯリング２２がそれぞれ挿入され、さらに、操作環１１の前端部内周に防水シール２３が装着され、開口部２ｐが外部に対して水密状態に保持される。また、操作環１１も回転伝達機構部１０の場合と同様に光軸Ｏ方向前後の移動が規制される。
【００４９】
上述した構成を有する防水ハウジングにカメラを収納した場合のレンズ鏡筒のズーミング操作状態を説明する。  
上記カメラ収納状態で操作環１１を図１２のＴ1 方向のいずれかに回転操作した場合、操作環１１の内周面１１ａを介してその回転力がゴムベルト４６に摩擦伝達され、ゴムベルト４６がＴ2 方向に回動移動する。そのゴムベルト４６の移動によりズームリング５２に摩擦駆動され、Ｔ1 方向とは逆方向のＴ3 方向に回転駆動される。上述したように操作環１１の回転がズームリング５２に伝達されると、レンズ鏡筒の撮影レンズ５５がそれぞれのズーム位置に進退移動し、ズーミングが行われる。
【００５０】
本実施形態の防水ハウジングによれば、第一の実施形態の場合と同様に該ハウジングの外側から操作環１１を回転操作することにより回転伝達機構部４０を介して収納カメラのレンズ鏡筒のズームリング５２を空回りすることなく回転することができ、確実にズーミングを行うことができ、回転伝達機構部４０の構成も簡単である。特に本実施形態の場合、ゴムベルト４６を回転伝達部材として適用していることから回転力の伝達効率よく、スムーズに行われる。
【００５１】
また、操作環１１，ゴムベルト４６が回動移動可能な状態に配される鏡筒収納筒部２ａの開口部２ｉの内外は、操作環１１の内周部と鏡筒収納筒部２Ｂａの外周部２Ｂｈａ，２Ｂｈｂとの間に配されるＯリング２０，２１，２２、および、防水シール２３によって確実な水密状態に保持される。
【００５２】
なお、上述した各実施形態における操作環および回転伝達機構部材をズームリングを回転操作するためのものであったが、本発明の要旨は、これに限らず上記操作環および回転伝達部材がフォーカスリングを回転操作するための部材としても同様に適用可能である。
【産業上の利用可能性】
【００５３】
本発明の防水ハウジングは、レンズ鏡筒を有するカメラを収納する防水ハウジングにおいて、上記レンズ鏡筒の回転操作を確実に行うことができる構造も簡単な防水ハウジングとして利用可能である。
【図面の簡単な説明】
【００５４】
【図１】本発明の第一の実施形態の防水ハウジングにカメラを収納した状態の外観を示す斜視図である。
【図２】図１のＡ−Ａ断面図であって、図１の防水ハウジングにカメラを収納した状態の断面を示す。
【図３】図１の防水ハウジングの鏡筒収納筒部（回転伝達機構部を含む）の分解斜視図である。
【図４】図１のＢ−Ｂ断面図であって、上記鏡筒収納円筒部の光軸に沿った断面を示す。
【図５】図４のＣ−Ｃ断面図であって、上記レンズ鏡筒収納筒部の光軸直交断面を示している。
【図６】図３の鏡筒収納筒部に組み込まれる回転伝達機構部のゴムローラの形状を示す図であって、図６（Ａ）は、該ゴムローラの斜視図であり、図６（Ｂ）は、該ゴムローラの断面図である。
【図７】図６のゴムローラに対する１つの変形例のゴムローラの形状を示し、図７（Ａ）は斜視図であり、図７（Ｂ）は断面図である。
【図８】図６のゴムローラに対する他の１つの変形例のゴムローラの形状を示し、図８（Ａ）は斜視図であり、図８（Ｂ）は断面図である。
【図９】図３の鏡筒収納筒部に組み込まれる回転伝達機構部に対する変形例を適用した鏡筒収納筒部の光軸直交断面図である。
【図１０】本発明の第二の実施形態の防水ハウジングの鏡筒収納筒部（回転伝達機構部を含む）の分解斜視図である。
【図１１】図１０のＥ−Ｅ断面図であって、図１０の鏡筒収納筒部の光軸に沿った断面を示す。
【図１２】図１１のＦ−Ｆ断面図であって、図１０のレンズ鏡筒収納筒部の光軸直交断面を示す。
【符号の説明】
【００５５】
２ａ，２Ａａ，２Ｂａ
…鏡筒収納筒部（レンズ鏡筒収納筒部）
２ｈａ，２Ａｈａ，２Ｂｈａ
…外周部（外周壁）
２ｉ，２ｐ
…開口部（外周壁に設けられた穴）
１１  …操作環
１６  …ゴムローラ（回転伝達部材）
２０，２１，２２
…Ｏリング（防水手段）
２３  …防水シール（防水手段）
４５  …プーリー（回転伝達部材）
４６  …ゴムベルト
（回転伝達部材，円筒状のゴム部材）
５１  …レンズ鏡筒
５２  …ズームリング（回転環）
代理人      弁理士    伊  藤    進
【図１】
2006201308.tif 000003
【図２】
2006201308.tif 000004
【図３】
2006201308.tif 000005
【図４】
2006201308.tif 000006
【図５】
2006201308.tif 000007
【図６】
2006201308.tif 000008
【図７】
2006201308.tif 000009
【図８】
2006201308.tif 000010
【図９】
2006201308.tif 000011
【図１０】
2006201308.tif 000012
【図１１】
2006201308.tif 000013
【図１２】
2006201308.tif 000014